(57)【特許請求の範囲】
【請求項１】
おむつ本体と、付着部をそれぞれ有し、前記おむつ本体の縦方向の後方側の部分における横方向の両側において前記縦方向に間隔をあけて設けられた上側ファスニング部及び下側ファスニング部と、前記おむつ本体の前方側の部分における外面側に設けられ、前記上側ファスニング部及び前記下側ファスニング部の前記付着部が着脱自在に付着される被付着部と、を備える使い捨ておむつであって、
前記上側ファスニング部と前記下側ファスニング部との前記横方向に沿った寸法が互いに異なっており、
前記下側ファスニング部の前記横方向に沿った寸法が、前記上側ファスニング部の前記横方向に沿った寸法よりも小さく、
当該使い捨ておむつを略平面状に展開した状態で、前記上側ファスニング部に設けられた前記付着部の少なくとも一部が、前記縦方向から見て、前記下側ファスニング部の前記横方向の外方側の先端よりも前記横方向の外方側に位置していることを特徴とする使い捨ておむつ。
【請求項２】
請求項１に記載の使い捨ておむつにおいて、
前記上側ファスニング部及び前記下側ファスニング部は、
前記おむつ本体の前記縦方向の後方側の部分における前記横方向の両側の縁部にそれぞれ接合された左右のファスニング基材の前記横方向の外方側の縁部から、前記縦方向に間隔をあけて前記横方向の外方側に延設されていることを特徴とする使い捨ておむつ。
【請求項３】
請求項１に記載の使い捨ておむつにおいて、
前記上側ファスニング部及び前記下側ファスニング部は、
前記おむつ本体の前記縦方向の後方側の部分における前記横方向の両側の縁部に、前記縦方向に間隔をあけて接合されていることを特徴とする使い捨ておむつ。
【発明の詳細な説明】
【技術分野】
【０００１】
本発明は、いわゆるテープタイプの使い捨ておむつに関する。
【背景技術】
【０００２】
大人用のテープタイプの使い捨ておむつでは、ベビー用に比べてサイズが大きいため、上下２つのファスニング部を左右に設ける場合が多い（例えば、特許文献１）。
【先行技術文献】
【特許文献】
【０００３】
【特許文献１】特開２０１０−２２４７９号公報
【発明の概要】
【発明が解決しようとする課題】
【０００４】
ところで、上記のように上下のファスニング部１，２を左右に有する使い捨ておむつでは、おむつを着用者の腰周り及び脚周り（特に、鼠蹊部）にフィットさせるため、図５に示すように、上下のファスニング部１，２を互いに近接する交差方向に引き寄せた状態で、被付着部３に付着させる場合がある。
【０００５】
しかし、従来の使い捨ておむつでは、図５に示すような装着形態で上下のファスニング部１，２を被付着部３に装着した場合、上下のファスニング部１，２が重なり合い、先に装着されたファスニング部１，２が後から装着するファスニング部１，２の装着の邪魔になることがある。上下のファスニング部１，２が重なりは、後から装着するファスニング部１，２の装着の障害又は装着強度低下の原因になる。また、重なりを回避するために、後から装着するファスニング部１，２の装着位置を最適な位置からわざわざずらさなければならないこともある。
【０００６】
そこで、本発明の解決すべき課題は、上下のファスニング部の重なり又は重なりによる装着強度の低下等を生じることなく、上下のファスニング部を互いに近接する交差方向に引き寄せた状態で被付着部に付着させることができる使い捨ておむつを提供することである。
【課題を解決するための手段】
【０００７】
上記の課題を解決するため、請求項１の発明では、おむつ本体と、付着部をそれぞれ有し、前記おむつ本体の縦方向の後方側の部分における横方向の両側において前記縦方向に間隔をあけて設けられた上側ファスニング部及び下側ファスニング部と、前記おむつ本体の前方側の部分における外面側に設けられ、前記上側ファスニング部及び前記下側ファスニング部の前記付着部が着脱自在に付着される被付着部とを備える使い捨ておむつであって、前記上側ファスニング部と前記下側ファスニング部との前記横方向に沿った寸法が互いに異なっており、前記下側ファスニング部の前記横方向に沿った寸法が、前記上側ファスニング部の前記横方向に沿った寸法よりも小さく、当該使い捨ておむつを略平面状に展開した状態で、前記上側ファスニング部に設けられた前記付着部の少なくとも一部が、前記縦方向から見て、前記下側ファスニング部の前記横方向の外方側の先端よりも前記横方向の外方側に位置している。
【００１０】
また、請求項２の発明では、請求項１の発明に係る使い捨ておむつにおいて、前記上側ファスニング部及び前記下側ファスニング部は、前記おむつ本体の前記縦方向の後方側の部分における前記横方向の両側の縁部にそれぞれ接合された左右のファスニング基材の前記横方向の外方側の縁部から、前記縦方向に間隔をあけて前記横方向の外方側に延設されている。
【００１１】
また、請求項３の発明では、請求項１の発明に係る使い捨ておむつにおいて、前記上側ファスニング部及び前記下側ファスニング部は、前記おむつ本体の前記縦方向の後方側の部分における前記横方向の両側の縁部に、前記縦方向に間隔をあけて接合されている。
【発明の効果】
【００１２】
請求項１ないし請求項５に記載の発明に係る使い捨ておむつによれば、上側ファスニング部と下側ファスニング部との横方向に沿った寸法が互いに異なっている。それ故、上側ファスニング部と下側ファスニング部との重なりを生じることなく、上側ファスニング部と下側ファスニング部とを互いに近接する交差方向に引き寄せた状態で被付着部に付着させることができる。その結果、上側ファスニング部と下側ファスニング部との重なりにより、先に装着したファスニング部が後から装着するファスニング部の装着の障害になる、あるいは、後から装着するファスニング部の装着強度が低下する等の不都合が生じるのを防止できる。また、重なりを回避するために、後から装着するファスニング部の装着位置を最適な位置からわざわざずらす必要もなくなる。
【００１３】
請求項１に記載の発明に関し、上側ファスニング部及び下側ファスニング部を装着する際の要領として、下側ファスニング部を上側ファスニング部よりも先に被付着部に装着する方が、おむつを身体に密着させやすいと共に、おむつによる身体の適度な締め付けが得られやすいことが経験的に分かっている。
【００１４】
そこで、本発明では、下側ファスニング部の横方向に沿った寸法を上側ファスニング部の横方向に沿った寸法よりも小さくしている。このため、先に装着される下側ファスニング部が上側ファスニング部側に大きく引き上げられた状態で装着され、上側ファスニング部の一部が下側ファスニング部の上に重なってしまう場合でも、上側ファスニング部の付着部が設けられた部分が下側ファスニング部に重なる可能性又は重なり度合いを効果的に抑制できる。
【００１５】
請求項１に記載の発明に係る使い捨ておむつによれば、使い捨ておむつを略平面状に展開した状態で、上側ファスニング部に設けられた付着部の少なくとも一部が、縦方向から見て、下側ファスニング部の横方向の外方側の先端よりも横方向の外方側に位置している。このため、先に装着される下側ファスニング部が上側ファスニング部側に大きく引き上げられた状態で装着され、上側ファスニング部の一部が下側ファスニング部の上に重なってしまう場合でも、上側ファスニング部の付着部の一部又は全部を、下側ファスニング部と重なることなく確実に被付着部に付着させることができる。
【図面の簡単な説明】
【００１６】
【図１】本発明の一実施形態に係る使い捨ておむつが平面状に展開されたときの要部の構成を示す平面図である。
【図２】図１の使い捨ておむつのファスニング部材が付着シートに付着された状態を示す図である。
【図３】図２に示す状態の他の例を示す図である。
【図４】図１に示す構成の変形例を示す図である。
【図５】従来の上下のファスニング部の構成を示す図である。
【発明を実施するための形態】
【００１７】
図１ないし図３を参照して、本発明の一実施形態に係る使い捨ておむつ（以下、単に「おむつ」という）の構成について説明する。なお、本明細書において、横方向Ｘ及び縦方向Ｙは、おむつ１０が図１のように展開された状態を基準としており、横方向Ｘは着用者の左右方向に対応しており、縦方向Ｙは着用者の前後方向又は上下方向にそれぞれ対応している。また、本明細書における上側とは着用者の頭側に対応しており、下側とは着用者のつま先側に対応している。
【００１８】
このおむつ１０は、図１及び図２に示すように、おむつ本体１１と、左右のファスニング部材１２と、本発明に係る被付着部に相当する付着シート１３とを備えて構成されている。
【００１９】
おむつ本体１１は、内側シート部材２１と、外側シート部材２２と、吸収コア２３とを備えて構成され、着用者の股部を含む領域にあてがわれる。内側シート部材２１は、少なくとも横方向Ｘの中央部が透液性を有している。内側シート部材２１には、伸張された状態で弾性部材２１１が付与された左右の起立シート部２１２が設けられている。外側シート部材２２は、不透液性を有し、吸収コア２３の外面側に配置されている。内側シート部材２１及び外側シート部材２２は、吸収コア２３を挟み込むようにして接着剤によって接合される。吸収コア２３は、着用者が排泄した排泄液（例えば、尿又は便に含まれる水分等）を吸収する。より具体的には、吸収コア２３は、吸液ポリマー及び集合された繊維の集合体からなる繊維集合体の少なくともいずれか一方を備えて構成される。また、このおむつ１０では、おむつ本体１１の前側及び後側の縁部に沿ってウエスト弾性部材２４が伸張された状態で付与されている。また、おむつ本体１１の左右の脚周りには、レッグ弾性部材２５が伸張された状態で付与されている。
【００２０】
左右のファスニング部材１２は、おむつ本体１１の縦方向Ｙの後方側に位置する後側部分における横方向Ｘの両側の縁部に接合に接合され、おむつ１の着用者の身体への固定に用いられる。より具体的には、各ファスニング部材１２は、ファスニング基材３１と、本発明に係る付着部に相当する略シート状の付着エレメント３２とを備えている。
【００２１】
ファスニング基材３１は、不織布等により形成されたシート状の部材であり、本体部３１１と、上側舌片部３１２と、下側舌片部３１３とを有している。本体部３１１の横方向Ｘの内方側の部分は、おむつ本体１１の内側シート部材２１と外側シート部材２２との間に挟み込まれた状態で接着剤等の接合手段によりおむつ本体１１と接合される。上側舌片部３１２及び下側舌片部３１３は、本体部３１１の横方向Ｘの外方側の端部から縦方向Ｙに互いに間隔をあけて横方向Ｘの外方側に延設されている。
【００２２】
付着エレメント３２は、後述する付着シート１３に対して着脱自在に付着可能となっており、ファスニング基材３１の上側舌片部３１２及び下側舌片部３１３の肌面側に接着剤等の接合手段によりそれぞれ接合されている。
【００２３】
そして、上側舌片部３１２と、その上側舌片部３１２に付与された付着エレメント３２とによって上側ファスニング部４１が構成されている。また、下側舌片部３１３と、その下側舌片部３１３に付与された付着エレメント３２とによって下側ファスニング部４２が構成されている。
【００２４】
付着エレメント３２と後述する付着シート１３とは、着脱自在に係合するループ材とフック材とによって構成されるいわゆる面ファスナーを構成しており、例えば、付着エレメント３２にフック材が用いられ、付着シート１３にループ材が用いられる。付着シート１３の表面には、複数のループ構造が形成されている。付着エレメント３２の表面には、付着シート１３のループ構造に着脱自在に係合する複数のフック構造が形成されている。なお、変形例として、付着エレメント３２にループ材を用い、付着シート１３にフック材を用いてもよい。また、付着エレメント３２及び付着シート１３として、互いに着脱自在に付着できれば面ファスナーに限らず、任意の構成を採用できる。例えば、付着エレメント３２及び付着シート１３として、粘着テープ及びその粘着テープが着脱自在に付着される付着シートを用いてもよい。
【００２５】
付着シート１３は、シート状の形態を有し、外側シート部材２２の外面側における前側の部分に接合されており、左右のファスニング部材１２に付与された付着エレメント３２が着脱自在に付着される。
【００２６】
また、左右のファスニング部材１２において、図１に示すように、上側ファスニング部４１と下側ファスニング部４２との横方向Ｘに沿った寸法が互いに異なっている。
【００２７】
このため、図２に示すように、上側ファスニング部４１と下側ファスニング部４２との重なりを生じることなく、上側ファスニング部４１と下側ファスニング部４２とを互いに近接する交差方向に引き寄せた状態で付着シート１３に付着させることができる。その結果、上側ファスニング部４１と下側ファスニング部４２との重なりにより、先に装着したファスニング部４１，４２が後から装着するファスニング部４１，４２の装着の障害になる、あるいは、後から装着するファスニング部４１，４２の装着強度が低下する等の不都合が生じるのを防止できる。また、重なりを回避するために、後から装着するファスニング部４１，４２の装着位置を最適な位置からわざわざずらす必要もなくなる。
【００２８】
ここで、上側ファスニング部４１及び下側ファスニング部４２を装着する際の要領として、下側ファスニング部４２を上側ファスニング部４１よりも先に付着シート１３に装着する方が、おむつ１０を身体に密着させやすいと共に、おむつ１０による身体の適度な締め付けが得られやすいことが経験的に分かっている。
【００２９】
そこで、図１に示す構成では、下側ファスニング部４２の横方向Ｘに沿った寸法が、上側ファスニング部４１の横方向Ｘに沿った寸法よりも小さくされている。さらに、おむつ１０を略平面状に展開した状態において、上側ファスニング部４１に設けられた付着エレメント３２の少なくとも一部（図１の例では実質的に全部）が、縦方向Ｙから見て、補助線Ｌ（図１参照）で示すように、下側ファスニング部４２の横方向Ｘの外方側の先端４２ａよりも横方向Ｘの外方側に位置している。
【００３０】
このため、図３に示すように、先に装着される下側ファスニング部４２が上側ファスニング部４１側に大きく引き上げられた状態で装着され、上側ファスニング部４１の一部が下側ファスニング部４２の上に重なってしまう場合でも、上側ファスニング部４１の付着エレメント３２の一部又は全部を、下側ファスニング部４２と重なることなく確実に付着シート１３に付着させることができる。図１に示す構成では、上側ファスニング部４１の付着エレメント３２の全部又はほぼ全部を、下側ファスニング部４２と重なることなく確実に付着シート１３に付着させることができる。
【００３１】
なお、上述のおむつ１０ではおむつ本体１１に接合されたファスニング基材３１の本体部３１１から横方向Ｘの外方側に延設された上側舌片部３１２及び下側舌片部３１３をベースにして、上側ファスニング部４１及び下側ファスニング部４２をそれぞれ構成した。この点に関する変形例として、図４に示すように、おむつ本体１１に接合され、おむつ本体１１から横方向Ｘの外方側に延びる上側舌片部３１２及び下側舌片部３１３をベースにして、上側ファスニング部４１及び下側ファスニング部４２をそれぞれ構成してもよい。
【符号の説明】
【００３２】
１０  おむつ、１１  おむつ本体、１２  ファスニング部材、１３  付着シート、２１  内側シート部材、２１１  弾性部材、２１２  起立シート部、２２  外側シート部材、２３  吸収コア、２４  ウエスト弾性部材、２５  レッグ弾性部材、３１  ファスニング基材、３１１  本体部、３１２  上側舌片部、３１３  下側舌片部、３２  付着エレメント、４１  上側ファスニング部、４２  下側ファスニング部、Ｘ  横方向、Ｙ  縦方向。
【図１】
0005508110.tif 000002
【図２】
0005508110.tif 000003
【図３】
0005508110.tif 000004
【図４】
0005508110.tif 000005
【図５】
0005508110.tif 000006